(57)【要約】      （修正有）【課題】容器本体の口部に固定するバルブケースを小型化するとともに取り扱いを容易にし、圧力点検が容易に行え、バルブケースの外径を大きくすることなく圧力取り出し孔を垂直方向に形成することを可能とした蓄圧式消火器を提供する。【解決手段】容器本体の口部にバルブケース３をユニオン方式のキャップ４で締め付け固定し、バルブケース３には、一端を容器本体内に開口してサイフォン管取付部７とし、他端を容器本体外に開口してホース取付部とした消火薬剤流路１０と、一端を容器本体内に開口し他端をバルブケースにねじ込んだ取付構造のスパナ掛け部１４ｃを有する指示圧力計１４において取付部１４ａの先端に開口した圧力取り入れ口１５に接続する圧力取り出し孔１６と、消火薬剤流路１０内に消火薬剤流路を開閉する弁機構１２とを備えた蓄圧式消火器であって、指示圧力計１４をバルブケース３に水平方向から上方に仰角となるように取り付けた。【選択図】図４
0003209637.tif 000002
【実用新案登録請求の範囲】
【請求項１】
消火薬剤と加圧用ガスが充填された容器本体の口部にバルブケースがユニオン方式のキャップで締め付け固定され、このバルブケースには、一端を容器本体内に開口しサイフォン管を取り付けるサイフォン管取付部とし、他端を容器本体外に開口し消火薬剤放出ホースを取り付けるホース取付部とした消火薬剤流路と、一端を容器本体内に開口し他端をバルブケースにねじ込まれる取付構造のスパナ掛け部を有する指示圧力計の取付部先端に開口する圧力取り入れ口と接続する圧力取り出し孔と、前記消火薬剤流路内に、レバー操作により前記消火薬剤流路を開閉する弁機構とが備えられている蓄圧式消火器であって、前記指示圧力計は前記バルブケースに水平方向から上方に仰角となるように取り付けられていることを特徴とする蓄圧式消火器。
【考案の詳細な説明】
【技術分野】
【０００１】
本考案は、容器本体の内圧が確認できる指示圧力計を備えたサイフォン管付きの蓄圧式消火器に関するものである。
【背景技術】
【０００２】
従来、サイフォン管付きの蓄圧式消火器として、消火薬剤と加圧用ガスが充填された容器本体の口部に、バルブケースが、該バルブケースの基部側外周に設けられているユニオン方式のキャップで締め付け固定され、このバルブケースには、一端を容器本体内に開口しサイフォン管を取り付けるサイフォン管取付部とし、他端を容器本体外に開口し消火薬剤放出ホースを取り付けるホース取付部とした消火薬剤流路と、一端を容器本体内に開口し他端をバルブケースにスパナ掛け部でねじ込まれた取付構造の指示圧力計に接続する圧力取り出し孔と、前記消火薬剤流路内に配置され、レバー操作により前記消火薬剤流路を開閉する弁機構とが備えらている蓄圧式消火器が知られている（例えば、特許文献１参照。）。従来知られている蓄圧式消火器では、バルブケースに取り付けられている指示圧力計は、バルブケースに対し水平方向に取り付けられている。
【先行技術文献】
【特許文献】
【０００３】
【特許文献１】特開平５−３０５１５０号公報
【考案の概要】
【考案が解決しようとする課題】
【０００４】
しかしながら、従来の蓄圧式消火器では、バルブケースを容器本体の口部に締め付け固定するに際し、容器本体の口部とバルブケースの固定側端部とが正確に接していることを確認してからキャップを締め始める必要があり、このため、バルブケースの固定側外周に設けられているキャップが上方へ十分に移動できるだけの空間が必要となる。この空間を確保するためバルブケースに備えられている指示圧力計を、上方へ移動するキャップに干渉しない位置に配置する必要がある。
【０００５】
従来の蓄圧式消火器では、バルブケースに取り付けられている指示圧力計は、バルブケースに対し水平方向に取り付けられているため、指示圧力計をバルブケースの上方へ配置するか、指示圧力計を前方に大きく張り出させるかの、いずれかで対処する必要があった。また、指示圧力計はバルブケースにスパナ掛け部でねじ込まれた取付構造となっており、このため、指示圧力計とキャップの間に、スパナ掛け部を操作するスパナがキャップに干渉しないようにする空間が必要となる。この空間を確保するためにも、指示圧力計をバルブケースの上方へ配置するか、指示圧力計を前方に大きく張り出させるかの、いずれかで対処する必要があった。しかし、指示圧力計をバルブケースの上方へ配置することは、バルブケースの上下長が長くなり、バルブケースのコンパクト化が図れず、また、指示圧力計を前方に大きく張り出させると、他所に接触し破損させてしまうおそれがあり、取り扱いに注意しなければならないといった問題があった。
【０００６】
また、バルブケースに備えた圧力取り出し孔の容器本体側の端部は、サイフォン管取付部との干渉を避けるために、ある程度バルブケースの外側方向に寄せ、また、圧力取り出し孔の上側端部は指示圧力計の取付部先端に開口する圧力取り入れ口との接続のため、ある程度バルブケースの内側方向に寄せており、この結果、圧力取り出し孔は傾斜しているが、傾斜する圧力取り出し孔は加工が難しく、また薬剤が残留し易く、圧力指示の異常の原因となる問題点があった。
【０００７】
本考案の目的は、容器本体の口部に固定するバルブケースの小型化を可能にするとともに取り扱いを容易にし、また、圧力点検が容易に行えるようにし、さらにはバルブケースの外径を大きくすることなく圧力取り出し孔を垂直方向に形成することを可能とした蓄圧式消火器を提供することにある。
【課題を解決するための手段】
【０００８】
上記の目的を達成するために、請求項１に記載の考案は、消火薬剤と加圧用ガスが充填された容器本体の口部にバルブケースがユニオン方式のキャップで締め付け固定され、このバルブケースには、一端を容器本体内に開口しサイフォン管を取り付けるサイフォン管取付部とし、他端を容器本体外に開口し消火薬剤放出ホースを取り付けるホース取付部とした消火薬剤流路と、一端を容器本体内に開口し他端をバルブケースにねじ込まれる取付構造のスパナ掛け部を有する指示圧力計の取付部先端に開口する圧力取り入れ口と接続する圧力取り出し孔と、前記消火薬剤流路内に、レバー操作により前記消火薬剤流路を開閉する弁機構とが備えられている蓄圧式消火器であって、前記指示圧力計は前記バルブケースに水平方向から上方に仰角となるように取り付けられていることを特徴とする。
【考案の効果】
【０００９】
請求項１に記載の蓄圧式消火器によれば、前記指示圧力計は前記バルブケースに水平方向から上方に仰角となるように取り付けられているので、キャップが上方へ移動するために必要な空間や、指示圧力計とキャップの間に必要とされるスパナ掛け部を操作するスパナがキャップに干渉しない空間を、従来知られている指示圧力計がバルブケースに対し水平方向に取り付けられている蓄圧式消火器に比べ、バルブケースの上下長を長くしないで、また、指示圧力計を前方に大きく張り出させることなく確保することができるので、容器本体の口部に固定するバルブケースの小型化を可能にすることができ、また、指示圧力計が前方に大きく張り出さないので取り扱いが容易となり、さらには、前記指示圧力計は上方に仰角となるように取り付けられているので見易くなり、圧力点検を容易に行うことができる。
【００１０】
また、前記バルブケースに水平方向から上方に仰角となるように取り付けられる指示圧力計の傾斜により、指示圧力計の取付部先端に開口する圧力取り入れ口をバルブケースの外側方向に寄せることができ、これにより、前記バルブケースの外径を大きくすることなく圧力取り出し孔を垂直方向に形成することが可能となり、これにより、バルブケースにおける圧力取り出し孔の加工を容易に行うことができ、また、圧力取り出し孔内における薬剤の残留を効果的に防止でき、薬剤の残留を原因とする圧力指示の異常を回避することができる。
【図面の簡単な説明】
【００１１】
【図１】本考案に係る蓄圧式消火器の実施の形態の一例を示す正面図である。
【図２】図１の一部縦断右側面図である。
【図３】図１に示す蓄圧式消火器の上部を示す一部省略拡大正面部である。
【図４】図３の縦断面図である。
【図５】図３の一部縦断右側面図である。
【考案を実施するための形態】
【００１２】
以下、本考案に係る蓄圧式消火器を実施するための形態を、図面を参照して詳細に説明する。図１が本考案に係る蓄圧式消火器の実施の形態の一例を示す正面図、図２は図１の一部縦断右側面図、図３は図１に示す蓄圧式消火器の上部を示す一部省略拡大正面部、図４は図３の縦断面図、図５は図３の一部縦断右側面図である。
【００１３】
本例の蓄圧式消火器は、消火薬剤と加圧用ガスが充填された容器本体１の口部２にバルブケース３がユニオン方式のキャップ４で締め付け固定されている。キャップ４は、バルブケース３の固定側外周に軸方向（上下方向）に移動自在に嵌合しており、バルブケース３の固定側端部５を容器本体１の口部２に当接し、キャップ４を口部２の外周に形成されているねじ部に螺着して締め付けることにより、容器本体１の口部２にバルブケース３が固定されている。
【００１４】
このバルブケース３には、一端を容器本体１内に開口しサイフォン管６を取り付けるサイフォン管取付部７とし、他端を容器本体１外に開口し消火薬剤放出ホース８を取り付けるホース取付部９とした消火薬剤流路１０が形成されている。消火薬剤流路１０の一端で容器本体１内に開口するサイフォン管取付部７は、バルブケース３の固定側端部５に設けられ、消火薬剤流路１０の他端で容器本体１外に開口するホース取付部９はバルブケース３の上方側壁に設けられている。サイフォン管取付部７にはサイフォン管６が取り付けられ、ホース取付部９には消火薬剤放出ホース８が取り付けられている。
【００１５】
消火薬剤流路１０内には、バルブケース３に備えた操作レバー１１の操作により消火薬剤流路１０を開閉する弁機構１２が組み付けられている。弁機構１２は、消火薬剤流路１０の内面に形成された弁座部１２ａと、弁座部１２ａに対して接離する弁体部１２ｂと、弁体部１２ｂと一体に形成されている弁杆１２ｃで構成されている。操作レバー１１には安全ピン１３が備えられており、安全ピン１３を抜かない限り操作レバー１１の操作が行えないようになっている。
【００１６】
また、バルブケース３には、一端を容器本体１内に開口し他端をバルブケース３に取り付けられる指示圧力計１４の取付部１４ａの先端に開口する圧力取り入れ口１５と接続する圧力取り出し孔１６が形成されている。圧力取り出し孔１６の一端で容器本体１内に開口する開口部１６ａは、バルブケース３の固定側端部５に設けられている。バルブケース３に取り付けられる指示圧力計１４は、取付部１４ａと圧力表示部１４ｂとで構成されている。取付部１４ａの外周には、ねじ部とスパナ掛け部１４ｃを有しており、取付部１４ａをバルブケース３に形成された指示圧力計取り付け用の雌ねじ部１７にねじ込むことにより、指示圧力計１４がバルブケース３に取り付けられる。このようにしてバルブケース３に取り付けられる指示圧力計１４は、バルブケース３に対し、水平方向から上方に仰角となるように取り付けられている。本例では水平方向に対し３０度の角度で上向き傾斜させているが、これに限定されない。
【００１７】
また、一端を容器本体１内に開口し他端をバルブケース３に取り付けられる指示圧力計１４の取付部１４ａの先端に開口する圧力取り入れ口１５と接続する圧力取り出し孔１６は、バルブケース３に垂直方向に形成されている。
【００１８】
このように構成された本例の蓄圧式消火器によれば、バルブケース３に取り付けられる指示圧力計１４は、バルブケース３に対し、水平方向から上方に仰角となるように取り付けられているので、キャップ４が上方へ移動するために必要な空間Ｓ１や、指示圧力計１４とキャップ４の間に必要とされるスパナ掛け部１４ｃを操作するスパナがキャップ４に干渉しない空間Ｓ２を、従来知られている指示圧力計がバルブケースに対し水平方向に取り付けられている蓄圧式消火器に比べ、バルブケース３の上下長を長くしないで、また、指示圧力計１４を前方に大きく張り出させることなく確保することができる。指示圧力計１４は上方に仰角となるように取り付けられているので見易くなり、圧力点検を容易に行うことができる。
【００１９】
また、バルブケース３に水平方向から上方に仰角となるように取り付けられる指示圧力計１４の傾斜により、指示圧力計１４の取付部１４ａの先端に開口する圧力取り入れ口１５をバルブケースの外側方向に寄せることができ、これにより、バルブケース３の外径を大きくすることなく圧力取り出し孔１６を垂直方向に形成することが可能となる。本例では、圧力取り出し孔１６を垂直方向に形成したので、バルブケース３における圧力取り出し孔１６の加工が容易となり、また、圧力取り出し孔１６内における薬剤の残留を効果的に防止できる。
【符号の説明】
【００２０】
１  容器本体
２  口部
３  バルブケース
４  キャップ
５  固定側端部
６  サイフォン管
７  サイフォン管取付部
８  消火薬剤放出ホース
９  ホース取付部
１０  消火薬剤流路
１１  操作レバー
１２  弁機構
１２ａ  弁座部
１２ｂ  弁体部
１２ｃ  弁杆
１３  安全ピン
１４  指示圧力計
１４ａ  取付部
１４ｂ  圧力表示部
１４ｃ  スパナ掛け部
１５  圧力取り入れ口
１６  圧力取り出し孔
１６ａ  開口部
１７  雌ねじ部
【図１】
0003209637.tif 000003
【図２】
0003209637.tif 000004
【図３】
0003209637.tif 000005
【図４】
0003209637.tif 000006
【図５】
0003209637.tif 000007